(57)【要約】      （修正有）【課題】粒子充填の個別の制御を可能にするインクジェット／粉末ジェット印刷プロセスを提供する。【解決手段】印刷システム１００は、基材１１０の表面上に硬化性層１２０を堆積させるように構成された液体エジェクタ１３０を含み、この層は、自由表面１２２及び層と基材との間の境界面を有する。予備硬化装置１４０は、自由表面により近い第１の領域１３１が、境界面により近い第２の領域１３２よりも硬化しないように、層を予備硬化させる。硬化装置は、層を重合する予備硬化イニシエータ１４１を提供するように構成された予備硬化イニシエータ源１４１を含む。硬化装置はまた、層の重合を阻害するインヒビタを送達するように構成された予備硬化インヒビタ源１４２も含む。粒子送達装置１６０は、層が予備硬化された後に、層に粒子を送達する。【選択図】図１
2020089874.tif 000002
【特許請求の範囲】
【請求項１】
印刷システムであって、
基材の表面上に硬化性層を堆積させるように構成された液体エジェクタであって、前記層が、自由表面及び前記層と前記基材との間の境界面を有する、液体エジェクタと、
前記自由表面により近い第１の領域が、前記境界面により近い第２の領域よりも硬化しないように前記層を予備硬化するように構成された予備硬化装置であって、
前記層を重合する予備硬化イニシエータを提供するように構成された予備硬化イニシエータ源と、
前記層の重合を阻害するインヒビタを送達するように構成された予備硬化インヒビタ源と、を備える、予備硬化装置と、
前記層が予備硬化された後に粒子を前記層に送達するように構成された粒子送達装置と、を備える、システム。
【請求項２】
前記予備硬化イニシエータ源が、紫外（ＵＶ）放射を発生させるように構成されたＵＶ放射源を備え、
前記ＵＶ放射の強度を制御するように構成されたコントローラを更に備える、請求項１に記載のシステム。
【請求項３】
前記予備硬化インヒビタ源が、酸素を送達するように構成された酸素源を備え、
酸素の濃度を制御するように構成されたコントローラを更に備える、請求項１に記載のシステム。
【請求項４】
前記粒子が前記層の前記自由表面に送達された後に、前記層の前記第１の領域を実質的に硬化させるように構成された硬化装置を更に備える、請求項１に記載のシステム。
【請求項５】
前記粒子が送達された後に前記層の前記自由表面を加熱するように構成された加熱源及び加熱ローラの一方又は両方を更に備える、請求項１に記載のシステム。
【請求項６】
前記予備硬化装置が、前記層の横方向軸及び長手方向軸の一方又は両方に沿って延在する前記予備硬化イニシエータの空間的パターンを提供するように構成され、前記予備硬化イニシエータの空間的パターンが、第１の量の予備硬化イニシエータを有する１つ以上の第１の領域を提供し、異なる第２の量の予備硬化イニシエータを有する１つ以上の第２の領域を提供する、請求項１に記載のシステム。
【請求項７】
前記予備硬化イニシエータ源が、ＵＶ放射源のアレイを含み、前記予備硬化イニシエータが、ＵＶ放射を含み、
前記ＵＶ放射の前記空間的パターンを提供するために、前記ＵＶ放射源の各々の強度を独立して調節するように構成されたコントローラを更に備える、請求項６に記載のシステム。
【請求項８】
前記予備硬化装置が、
ＵＶ放射を含む前記予備硬化イニシエータを提供するように構成された少なくとも１つのＵＶ放射源と、
前記ＵＶ放射源に光学的に結合された空間的パターン化装置と、を備え、前記ＵＶ放射源及び前記空間的パターン化装置が、ＵＶ放射の空間的パターンを提供するように構成されている、請求項６に記載のシステム。
【請求項９】
前記自由表面の横方向軸及び長手方向軸の一方又は両方に関して前記予備硬化イニシエータの勾配を生成するように構成された予備硬化イニシエータパターン化装置を更に備える、請求項１に記載のシステム。
【請求項１０】
前記空間的パターン化装置が、可動シャッタである、請求項９に記載のシステム。
【請求項１１】
前記予備硬化インヒビタの空間的パターンを提供するように構成された、予備硬化インヒビタパターン化装置を更に備える、請求項１に記載のシステム。
【請求項１２】
方法であって、
基材の表面上に硬化性層を堆積させることであって、前記層が、自由表面及び前記層と前記基材との間の境界面を有する、堆積させることと、
前記層の前記境界面により近い第１の領域が、前記層の前記自由表面により近い第２の領域よりも硬化されるように、前記層を予備硬化させることと、
前記層を予備硬化させた後に、前記層の前記自由表面に粒子を送達することと、を含む、方法。
【請求項１３】
前記粒子が前記自由表面に送達された後に、前記層を硬化させることを更に含む、請求項１２に記載の方法。
【請求項１４】
前記層を予備硬化させることが、予備硬化インヒビタの存在下で、予備硬化ガスを前記自由表面に向けて方向付けることを含む、請求項１２に記載の方法。
【請求項１５】
前記層を予備硬化させることが、酸素の存在下でＵＶ放射を前記自由表面に向けて方向付けることを含む、請求項１２に記載の方法。
【請求項１６】
前記第１の領域が前記自由表面から所定の距離に位置するように、前記ＵＶ放射の強度、前記酸素の濃度、及び前記層の温度のうちの１つ以上を制御することを含む、前記層の予備硬化を制御することを更に含む、請求項１４に記載の方法。
【請求項１７】
前記層を予備硬化させることが、
予備硬化イニシエータの空間的パターンを発生させることであって、前記空間的パターンが、前記層の横方向軸及び長手方向軸のうちの少なくとも１つに沿って前記第２の領域をパターン化するように構成されている、発生させることと、
前記自由表面の横方向軸及び長手方向軸の一方又は両方に関する、前記予備硬化イニシエータの勾配を発生させることと、のうちの少なくとも１つを含む、請求項１２に記載の方法。
【請求項１８】
前記層を予備硬化させ、前記粒子を前記自由表面に送達することが、前記層内の前記粒子の深さを制御することを含む、請求項１２に記載の方法。
【請求項１９】
前記層内の前記粒子の帯の厚さを制御することと、
前記粒子を前記層の前記自由表面に送達した後に、前記粒子を再配向することと、
前記粒子を前記層の前記自由表面に送達した後に、前記自由表面の表面粗さを変更することと、のうちの少なくとも１つを更に含む、請求項１７に記載の方法。
【請求項２０】
前記層の予備硬化後に、前記層の前記自由表面に前記粒子を送達することが、第２の種類の粒子を送達することを含み、
前記層を予備硬化する前に、第１の種類の粒子を前記層の前記自由表面に送達することを更に含む、請求項１２に記載の方法。
【発明の詳細な説明】
【技術分野】
【０００１】
インクジェット印刷システムは、液体インク中の粒子を使用して、インクに様々な特性を与え得る。液体インクに粒子を添加して、色、表面質感、不透明度、発光、及び／又は他の特性などの液体の特性を変化させることができる。
【０００２】
本明細書に記載の実施形態は、基材の表面上に硬化性層を堆積するように構成された液体エジェクタを備える印刷システムを含み、この層は、自由表面及び層と基材との間の境界面を有する。予備硬化装置は、自由表面により近い第１の領域が、境界面により近い第２の領域よりも硬化しないように、層を予備硬化させる。予備硬化装置は、層を重合する予備硬化イニシエータを発生させるように構成された予備硬化イニシエータ源を含む。予備硬化装置はまた、層の重合を阻害するインヒビタを送達するように構成された予備硬化インヒビタ源も含む。粒子送達装置は、層が予備硬化された後に、層に粒子を送達する。
【０００３】
いくつかの実施形態は、印刷方法を対象とする。硬化性層は、基材の表面上に堆積される。層は、自由表面と、層と基材との間の境界面とを有する。層は、層の境界面により近い第１の領域が、層の自由表面により近い第２領域よりも硬化されるように、予備硬化される。層が予備硬化された後に、層の自由表面に粒子が送達される。
【図面の簡単な説明】
【０００４】
【図１】いくつかの実施形態による、粒子充填インク層を含む物品を形成するための印刷システム１００のブロック図である。
【図２】図１に示されるシステムを使用して製作することができる物品である。
【図３Ａ】図２の物品を形成する方法を示すフロー図である。
【図３Ｂ】図２の物品を形成する方法を示すフロー図である。
【図３Ｃ】図２の物品を形成する方法を示すフロー図である。
【図３Ｄ】図２の物品を形成する方法を示すフロー図である。
【図３Ｅ】図２の物品を形成する方法を示すフロー図である。
【図３Ｆ】図２の物品を形成する方法を示すフロー図である。
【図３Ｇ】図２の物品を形成する方法を示すフロー図である。
【図３Ｈ】図２の物品を形成する方法を示すフロー図である。
【図４】図１のシステムの予備硬化予備硬化装置及び／又は粒子堆積装置の様々な任意の構成を示すブロック図である。
【図５】図１のシステムの予備硬化予備硬化装置及び／又は粒子堆積装置の様々な任意の構成を示すブロック図である。
【図６Ａ】図１のシステムの予備硬化予備硬化装置及び／又は粒子堆積装置の様々な任意の構成を示すブロック図である。
【図６Ｂ】図１のシステムの予備硬化予備硬化装置及び／又は粒子堆積装置の様々な任意の構成を示すブロック図である。
【図７Ａ】図１のシステムの予備硬化予備硬化装置及び／又は粒子堆積装置の様々な任意の構成を示すブロック図である。
【図７Ｂ】図１のシステムの予備硬化予備硬化装置及び／又は粒子堆積装置の様々な任意の構成を示すブロック図である。
【図７Ｃ】図１のシステムの予備硬化予備硬化装置及び／又は粒子堆積装置の様々な任意の構成を示すブロック図である。
【図８】図１のシステムの予備硬化予備硬化装置及び／又は粒子堆積装置の様々な任意の構成を示すブロック図である。
【図９】図１のシステムの予備硬化予備硬化装置及び／又は粒子堆積装置の様々な任意の構成を示すブロック図である。
【図１０Ａ】図１のシステムの予備硬化予備硬化装置及び／又は粒子堆積装置の様々な任意の構成を示すブロック図である。
【図１０Ｂ】図１のシステムの予備硬化予備硬化装置及び／又は粒子堆積装置の様々な任意の構成を示すブロック図である。
【図１１】図１のシステムの予備硬化予備硬化装置及び／又は粒子堆積装置の様々な任意の構成を示すブロック図である。
【図１２】いくつかの実施形態による粒子後送達処理装置として使用される加熱器を示す図である。
【図１３】いくつかの実施形態による粒子後送達処理装置として使用される加熱器を示す図である。
【図１４】いくつかの実施形態による硬化後処理装置を示す。
【発明を実施するための形態】
【０００５】
インクジェット印刷システムは、液体インク中の固体材料を使用して、インクに様々な特性を与えることができる。固体材料、例えば粒子は、液体の少なくとも１つの特性を変化させるように構成され得る。例えば、固体材料は、液体の色、表面の質感、不透明度、発光、及び／又は他の特性を変化させることができる。白色などの飽和色は、高い割合の固体材料を液体に使用することによって、より容易に達成することができる。場合によっては、液体の化学的特性は、例えば粉末処理を使用して制御され得る。
【０００６】
多くの実装形態では、印刷中に粒子の位置、濃度及び／又は配向を制御して、印刷された品物の光学的、化学的、機械的、及び／又は電気的特性を制御することが有用である。表面の多くの重要な特性は、粒子の使用によって変更され、制御され得る。粒子は、顔料及び散乱粒子を使用して光を捕捉、散乱、及び／又は吸収することによって、飽和色などの光学特性を制御する。表面の拡散及び鏡面的な外観もまた、粒子によって制御することができる。粒子層の厚さは、散乱と吸収との関係に起因する層の視覚的外観の要因である。吸収層の下に散乱層を埋め込むことにより、層から放出される光の拡散成分が制御される。同様に、鏡面反射成分は、粒子層の表面侵入の深さによって制御される。
【０００７】
更に、機械的表面粗さは、上部表面を貫通するか、又は表面の下の層に位置する粒子を有することによって変更され得る。更に、化学的及び／又は電気的特性は、表面付近に位置するか又は層内に埋め込まれた化学的に感応性の粒子によって制御することができる。これらの全ての場合において、表面からの粒子の深さ又は位置、密度、サイズ、配向、及び粒子層の厚さを制御することが重要である。
【０００８】
本明細書に記載される実施形態は、基材上に液体インクのパターンを噴射し、続いてインク層の表面に粒子を塗布することによって物品を形成するための方法及びシステムを対象とする。物品の様々な有用な光学的、化学的、及び機械的特性は、インク層のバルク中の粒子の密度、深さ、厚さ、パターン、及び／又は濃度を制御することによって制御することができる。
【０００９】
バルク及び／又は層の表面に存在する粒子の位置、濃度、配列、及び他の特性は、予備硬化、粒子堆積、及び／又は硬化パラメータを制御することによって調整することができる。例えば、予備硬化、粒子堆積、及び／又は硬化パラメータは、いくつかある特性の中でも特に、層内の粒子の深さ、層内の粒子の帯の厚さ、層内の粒子の濃度、粒子の濃度の勾配、粒子の表面濃度、粒子の配列を制御するように選択され得る。物品の表面特性は、層の表面における粒子の配列及び／又は濃度を制御することによって調整することができる。いくつかの構成では、１つ以上の追加の層を、粒子充填インク層上に堆積させることができる。
【００１０】
図１は、いくつかの実施形態による、粒子充填インク層を含む物品を形成するための印刷システム１００のブロック図である。システム１００は、基材１１０の表面上に硬化性層１２０を堆積させるように構成された液体イジェクタ１３０を含む。例えば、紙、プラスチック、箔、布地、複合シートフィルム、セラミック、布地類、及びガラスなどの広範な様々な媒体が、基材１１０として使用され得る。
【００１１】
いくつかの実施形態では、液体イジェクタ１３０は、１つ以上のインクジェットを含む。各インクジェットは、オリフィスを通過して排出チャンバ空洞へと入る液体を保持するリザーバを含む。圧電トランスデューサ（ｐｉｅｚｏｅｌｅｃｔｒｉｃ  ｔｒａｎｓｄｕｃｅｒ、ＰＺＴ）アクチュエータなどのアクチュエータを作動させて、エジェクタノズルを通してインク液滴を排出させるのに十分な圧力波を排出チャンバ空洞内に生じさせることができる。液体イジェクタ１３０は、コントローラ１５０からの信号によって活性化され得る。
【００１２】
堆積された液体層１２０は、層１２０と基材１１０との間の境界面に、自由表面１２２及び境界面１２１を有する。予備硬化装置１４０は、境界面層１２１により近い第１の領域１３１が、自由表面１２２により近い第２の領域１３２よりも硬化されるように、層１２０を硬化させる。予備硬化装置１４０は、層１２０の重合を開始するＵＶ放射又はガスなどの予備硬化イニシエータを提供するように構成された予備硬化イニシエータ源１４１を含む。予備硬化装置はまた、層１２０の重合を阻害する予備硬化インヒビタを提供する予備硬化インヒビタ源１４２を含む。コントローラ１５０は、予備硬化イニシエータ源１４１及び予備硬化インヒビタ源１４２の動作の両方を含む予備硬化装置１４０を制御するように構成することができる。例えば、コントローラは、層１２０の自由表面１２２から所定の深さである、より硬化する領域１３１を得るために、予備硬化装置１４０を制御し得る。
【００１３】
いくつかの実装形態では、予備硬化イニシエータ源１４１は、層にＵＶ放射を照射するように構成された紫外（ｕｌｔｒａｖｉｏｌｅｔ、ＵＶ）放射源を含む。いくつかの実装態様では、予備硬化イニシエータ源１４１は、層を加熱して層又は電子ビーム源を予備硬化させる熱源を含む。
【００１４】
予備硬化インヒビタ源１４２は、Ｏ２ガスなどの予備硬化インヒビタを層１２０に供給するように構成されたガス源を含み得る。任意選択で、システム１００は、予備硬化イニシエータ源１４１によって提供される予備硬化イニシエータ及び予備硬化インヒビタ源１４２によって提供される予備硬化インヒビタの一方又は両方と相互作用して相対的により硬化する及びより硬化しない領域のパターンを形成するパターン化装置１４３を含み、パターンは、層１２０を横方向（ｙ軸に沿って）及び／又は長手方向（ｘ軸に沿って）に延在する。
【００１５】
粒子送達装置１６０は、層１２０が予備硬化された後に粒子を層１２０に送達するように構成されている。粒子送達装置１６０は、Ｌａｖａｌ型膨張管に形成された本体を含み得る。空気、ＣＯ２、エッチング剤などの担体を本体に注入して、管内に噴射剤流を形成する。１つ以上のチャネルは、粒子を噴射剤流に送達し、次いで、高速で表面１２２に向かって排出される。
【００１６】
いくつかの実施形態では、システム１００は、粒子送達後処理装置１６５を任意選択的に含み得る。いくつかの実施形態では、粒子堆積後処理は、層が硬化される前に、自由表面上に追加層を堆積させることを含み得る。別の例として、粒子送達後処理装置１６５は、粒子が送達された後及び層が最終的に硬化される前に、層の表面特性を変化させるために層の表面を加熱する加熱器又は加熱ローラを含み得る。加熱器又は加熱ローラを操作して、粒子を表面に配列し、及び／又は粒子を層のより深くに押し込み、表面から離して表面を滑らかにすることができる。粒子送達後処理装置１６５は、層１２０のバルク及び／又は表面特性を変化させるために、様々な他のプロセスを実行得る。
【００１７】
システム１００は、粒子が送達され、粒子送達後処理が実行されている後に、層１２０を硬化させるように構成された硬化装置１８０を含む。多くの実装態様において、硬化は、硬化インヒビタの非存在下で実施され得る。例えば、硬化装置１８０は、強いＵＶ放射、熱源、又は電子ビーム源を送達するように構成されたＵＶ放射源を含み得る。任意選択的に、システムは、硬化後処理装置１８５を含み得る。例えば、硬化後処理装置１８５は、層上に１つ以上の追加層を堆積させる堆積装置、又は硬化層に表面処理を提供する装置を含むことができる。
【００１８】
実施形態は、物品を処理するためのシステム構成要素の動作を制御するために、システム構成要素１３０、１４０、１４３、１６０、１８０、１８５のうちの１つ以上に結合されたコントローラ１５０を含み得る。いくつかの実施形態は、物品が形成されているときに、基材１１０をシステム構成要素１３０、１４０、１４３、１６０、１８０、１８５に対して処理するための位置に移動させるようにコントローラ１５０によって操作され得る移動機構を含む。
【００１９】
いくつかの実施形態によれば、予備硬化イニシエータ源１４１は、硬化ガス源を含んでもよく、予備硬化インヒビタ源は、硬化インヒビタガス源を含む。硬化ガスは、層１２０内により深く（ｚ軸に沿って）浸透するガスであり得、硬化インヒビタガスは、硬化ガスより深く層１２０内に浸透する。コントローラ１５０は、硬化ガス及び硬化阻害ガスの相対濃度を制御して、より硬化しない層１２０内の領域１３２と、より硬化する層１２０内の領域１３１とを達成するように構成され得る。
【００２０】
図２は、図１に示されるシステム１００を使用して製作することができる物品２００である。図２に示される物品２００は、本明細書で論じられるアプローチに従って得ることができる異なるバルク及び／又は表面特性を示すいくつかのセクション２０１〜２０５を有する。物品２００は、ｘ軸が、長手方向軸とも称され、ｙ軸が、横方向軸とも称され、ｚ軸が、深さ軸とも称される、ｘ、ｙ、ｚ座標系を参照して示されている。
【００２１】
例えば、物品２００のセクション２０１は、厚さｔを有する粒子２９９の帯２０１ａを含み、帯２０１ａより上の領域２０１ｂ及び帯２０１ａより下の領域２０１ｃにおける粒子２９９の濃度は、帯２０１ａにおける粒子２９９の濃度より低い。
【００２２】
セクション２０１はまた、ｘ軸に沿った粒子の濃度勾配２０１ｄを示し、粒子２９９の濃度は、図２中の左から右までの距離で増加する。セクション２０１及び２０２では、粒子２９９は、深さ軸（図２中ｚ軸）に沿って深さｄまで延在する。セクション２０２では、一部の粒子２９９の少なくとも一部が層２５０の表面２０２ａの上方に延在する。
【００２３】
セクション２０３では、層２２０の表面２０２ａにおける細長い粒子２９９は、それらの長軸が層２２０の平面内に置かれるように互いに整列される。セクション２０４は、長手方向軸に沿って延在する層２２０のパターン化を示す。サブセクション２０４ａは、長手方向位置ｘ１とｘ２との間に配置され、サブセクション２０４ｂは、長手方向位置ｘ２とｘ３との間に配置される。サブセクション２０４ａ内の粒子は、層２２０内の深さｄａまで延在し、サブセクション２０４ｂ内の粒子２９９は深さｄｂまで延在する。セクション２０５では、追加層２０５ａが層２２０の自由表面２０２ａの上に堆積されている。
【００２４】
図３Ａは、いくつかの実施形態による物品の形成方法を示すフロー図である。液体硬化性層を基材上に堆積させる（３０１）。硬化性層を、層の自由表面により近い第１の領域が、層と基材との間の境界面により近い第２の領域よりも硬化しないように、予備硬化させる（３１０）。層を予備硬化させた後に粒子を自由表面に送達し（３２０）、粒子積層を硬化させる（３３０）。任意選択で、粒子を、予備硬化ステップ３１０の前及び後に硬化性層の自由表面に送達する。いくつかの実施形態において、予備硬化ステップ３１０の前に送達する粒子は、予備硬化ステップ３１０の後に送達する粒子と同じ種類であり得る。代替的に、予備硬化ステップ３１０の前に送達する粒子は、予備硬化ステップ３１０の後に送達する粒子とは異なる種類の粒子であってもよい。予備硬化ステップ３１０の前に送達する粒子は、様々な方法で層内に分散させてもよく、例えば、均一に分散させてもよいか、又は帯状に配置してもよい。
【００２５】
図３Ｂは、図２のセクション２０１及び２０２などのセクションを含む物品を形成する方法を示すフロー図であり、図２では、粒子２９９が、層内で所定の深さまで延在している。図３Ｂの方法によれば、層を予備硬化させることは、予備硬化領域が層及び基材の自由表面から所定の距離に位置するように、予備硬化イニシエータ及び／又は予備硬化インヒビタを制御すること（３１１）を含む。例えば、予備硬化イニシエータ源を制御することは、予備硬化イニシエータの量を調節すること、例えば、ＵＶ放射の強度を調節すること、又は硬化ガスの濃度を調節することなどを伴い得る。予備硬化インヒビタ源を制御することは、例えば、Ｎ２のフラッディングにより周囲の大気中のＯ２の濃度を制御することにより、硬化インヒビタの濃度を制御することを伴う。
【００２６】
図３Ｃは、図２のセクション２０１などのセクションを含む物品を形成するための方法オペレーティングシステム１００を示すフロー図であり、図２では、粒子２９９が、層内で帯状に配置されている。粒子を自由表面に送達した（３２０）後、この方法は、粒子を自由表面からより硬化した第１の領域に向かって沈殿させる所定の時間待機すること（３２１）を伴うことができる。代替的に又は付加的に、予備硬化装置は、粘度を低減するために層を加熱するように構成された加熱器を含むことができ、図２に示されるように、粒子が帯状に沈殿することを可能にする。
【００２７】
図３Ｄは、図２のセクション２０１のように、粒子の所定の濃度又は層のバルク内の粒子濃度勾配を有する物品を形成するシステム１００の動作方法を示すフロー図である。この方法によれば、層の自由表面に粒子を送達することは、粒子の堆積速度を制御すること（３２２）を含む。堆積速度は、例えば、線状に変化して、図２のセクション２０１のように粒子の濃度勾配を達成することができる。
【００２８】
図３Ｅは、図２のセクション２０２のように、粒子の所定の濃度又は層の表面における粒子濃度勾配を有する物品を形成する方法を示すフロー図である。この方法によれば、層の自由表面に粒子を堆積させることは、層表面の上方に延在する少なくとも一部を有する粒子の所望の濃度を達成するように粒子の堆積速度を制御すること（３２３）を含む。粒子の堆積速度は、表面における、かつ／又はバルク中の粒子の濃度勾配又はパターンを達成するように変化させることができる。
【００２９】
図３Ｆは、図２のセクション２０３のような、粒子が表面で整列され、かつ／又は層の表面内に押し下げられた物品を形成する方法を示すフロー図である。この方法によれば、層の自由表面に粒子を堆積させることは、層表面の上方に延在する少なくとも一部を有する粒子の所望の濃度を達成するように粒子の堆積速度を制御すること（３２３）を含む。粒子の堆積後、層の粘度は、例えば、層を加熱することによって低減され得る（３２４）。粘度を低下させることにより、粒子は層内に更に沈む。粒子が示されるように細長くなると、粘度を低下させることにより、粒子を表面付近でより整列させることができる。付加的に又は代替的に、粒子は、例えば加熱ローラによって加熱熱及び加圧に供されてもよい（３２５）。熱及び／又は圧力を、層内の粒子の整列及び／又は沈殿を促進して、層の所望の表面特性を達成する。
【００３０】
図３Ｇは、図２のセクション２０４のように、粒子が層内で横方向又は長手方向にパターン化された物品を形成する方法を示すフロー図である。この方法によれば、層を予備硬化させることは、硬化イニシエータ及び／又は硬化インヒビタを層に向けて方向付けること（３１１）を含む。予備硬化イニシエータ及び／又は予備硬化インヒビタの一方又は両方を、パターン化装置と相互作用させて（３１２）、図２の２０４ａ及び２０４ｂに示されるように、より硬化した領域及びより硬化していない領域の横方向及び／又は長手方向パターンを形成する。例えば、硬化イニシエータがＵＶ放射である場合、予備硬化イニシエータパターン化装置は、シャドウマスク、可動シャッタ、及び液晶装置、デジタルマイクロミラー装置（ｄｉｇｉｔａｌ  ｍｉｃｒｏｍｉｒｒｏｒ  ｄｅｖｉｃｅ、ＤＭＤ）グレーティングライトバルブ（ｇｒａｔｉｎｇ  ｌｉｇｈｔ  ｖａｌｖｅ、ＧＬＶ）、音響光学変調器（ａｃｏｕｓｔｏ−ｏｐｔｉｃ  ｍｏｄｕｌａｔｏｒ、ＡＯＭ）、ポリゴンミラーラスタ出力スキャナ（ｒａｓｔｅｒ  ｏｕｔｐｕｔ  ｓｃａｎｎｅｒ、ＲＯＳ）などの他の種類のパターン化装置を備えてもよい。いくつかの実施形態において、予備硬化イニシエータパターン化装置は、硬化イニシエータ源の配列と、硬化イニシエータの空間的パターンを生成するために、硬化イニシエータ源の各々の強度を調節するように構成されたコントローラと、を含み得る。予備硬化後、粒子は層内に堆積され、層内の粒子の深さは、より硬化する領域及び硬化しない領域のパターンに従ってパターン化される。いくつかの実施形態では、システムは、硬化インヒビタの空間的パターンを提供するように構成された、予備硬化インヒビタパターン化装置を含んでもよい。
【００３１】
図３Ｈは、図２のセクション２０５に示されるように、１つ以上の追加層が層の表面上に形成される物品の形成方法を示すフロー図である。層を硬化させた後（３３０）、層の表面上に１つ以上の層を堆積させ得る（３３１）。例えば、いくつかの実施形態では、１つ以上の追加層は、例えば光散乱層又は鏡面層などの層に特定の光学特性を付与するように選択され得る。例えば、パターン化装置は、シャドウマスク、可動シャッタ、又は液晶装置、デジタルマイクロミラー装置（ＤＭＤ）グレーティングライトバルブ（ＧＬＶ）、音響光学変調器（ＡＯＭ）、及び／又はラスタ出力スキャナ（ＲＯＳ）などの他の種類のパターン化装置を備えてもよい。
【００３２】
図４〜図１１は、システム１００の予備硬化装置１４０及び／又は粒子堆積装置１６０の様々な任意の構成を示すブロック図である。図４は、基材４１０上に配置された層４２０の自由表面側に位置する予備硬化イニシエータ源４４１を示す。予備硬化イニシエータ源４４１は、硬化イニシエータ４９１を自由表面４２２に向けて送達する。多くの実装形態では、予備硬化イニシエータ源４２１はＵＶ放射源であるが、代替的に、熱エネルギーを送達する熱源、ｅ−ビーム硬化エネルギーを送達する電子ビーム源、又は硬化ガスを層４２０に送達するガス源など、他の種類の予備硬化イニシエータ源を使用することができる。図４は、Ｏ２などの硬化インヒビタガス４９２を自由表面４２２に向けて送達するように位置決めされた予備硬化インヒビタ源４４２を示す。自由表面４２２における硬化インヒビタ４９２の存在は、自由表面４２２付近の領域４３２における硬化を阻害する。層４２０のより深い領域４３１では、硬化イニシエータ４９１が硬化領域４３１への硬化インヒビタ４９２の効果を克服するように、硬化インヒビタ４９２の効果が減少する。硬化イニシエータ４９１の量及び／又は硬化インヒビタ４９２の量は、コントローラ（図４には示されていないが図１を参照して先に述べた）によって制御されて、層４２０の第１の（より硬化する）領域４３１及び第２の（より硬化しない）領域４３２の相対厚さを制御することができる。
【００３３】
図５は、基材５１０に近接して位置決めされた予備硬化イニシエータ源５４１を示す。基材５１０は、硬化イニシエータ５９１が最小限又は十分に少ない減衰量で基材５１０を通過できるように構成され、基材５１０と層５２０との間の境界面５２１でいくらかの予備硬化が生じることを可能にする。予備硬化インヒビタ源５４２は、硬化インヒビタガス５９２を自由表面５２２に送達するように位置決めされる。自由表面５２２における硬化インヒビタ５９２の存在は、自由表面付近の領域５３２における硬化を阻害する。層５２０のより深い領域５３１では、硬化インヒビタ５９２の効果が減少する。硬化イニシエータ５９１は、硬化インヒビタ５９２の硬化領域５３１への影響を克服する。硬化イニシエータ５９１の量、例えば、ＵＶ放射の強度及び／又は硬化インヒビタ５９２の量、例えば、硬化インヒビタガスの濃度は、コントローラ（図５には示されていないが図１を参照して先に述べた）によって制御されて、層５２０のより硬化する領域５３１及びより硬化しない領域５３２の相対厚さを制御することができる。
【００３４】
特定の一実施形態では、ＵＶ放射硬化エネルギーは、ＵＶ透過性基材を通って光学的に厚い硬化性層内に透過される。ＵＶ放射の強度は、自由表面５２２に接近するｚ軸に沿った距離でオフになり、一方、インヒビタの濃度は、自由表面５２２に近づくにつれて増加する。ＵＶ透過性基材の使用により、ＵＶ放射及びインヒビタの両方が、ＵＶ及びインヒビタ濃度の両方が減少するように、自由表面に送達される構成と比較して異なるレベルの制御を可能にする。
【００３５】
図６Ａは、図４又は図５に関連して説明したように、層６２０が予備硬化された後に、基材６１０上に配置された層６２０の自由表面６２２に粒子６９９を堆積させるプロセスにおける粒子堆積装置６６０を示している。第２の（より硬化しない）領域６３２は、粒子が、より硬化しない領域に埋まることを可能にするように十分に未硬化である。第１の（より硬化する）領域６３１は、粒子が層６２０の自由表面６２２から深さ、ｄ、未満に沈むのを防ぐために十分に硬化される。より硬化しない領域６３１中の粒子６９９の濃度は、粒子堆積装置６６０からの粒子６９９の流量を制御することによって制御することができる。図６Ｂに示されるように、いくつかの実施態様では、粒子堆積装置６６０は、粒子６９９のいくらかの部分が自由表面６２２の上方延在するまで粒子６９９を堆積させるように構成され得る。
【００３６】
図７Ａ〜図１０Ｂに示されるように、いくつかの実施形態では、より硬化する７３１及びより硬化しない７３２領域を横方向及び／又は長手方向にパターン化することができ、粒子の深さを層７２０にわたって横方向及び／又は長手方向に変化させることができる。いくつかの実装形態は、硬化イニシエータ及び硬化インヒビタの一方又は両方をマスクする１つ以上のマスクの使用を伴う。
【００３７】
図７Ａは、予備硬化イニシエータ７９１を遮断するためのマスク７４３の使用を示すブロック図である。図７Ａは、硬化インヒビタ７９２を自由表面７２２に送達するように位置決めされた予備硬化インヒビタ源７４２を示す。予備硬化イニシエータ源７４１は、層７２０の自由表面７２２に近接し、自由表面７２２に向けて方向付けられもする硬化イニシエータ７９１を提供する。フォトリソグラフィマスク、シャドウマスク、又は任意の他の種類のマスクであり得る、マスク７４３は、領域７３４内の自由表面７２２に向けられた硬化イニシエータ７９１をブロック又は減衰させ、硬化イニシエータ７９１を領域７３３内の自由表面７２２に実質的に通過させる。
【００３８】
領域７３３において、自由表面７２２における硬化インヒビタ７９２の存在は、自由表面７２２付近の領域７３２における硬化を阻害する。層７２０のより深い領域７３１では、硬化イニシエータ７９１が領域７３４の硬化領域７３１への硬化インヒビタ７９２の効果を克服するように、硬化インヒビタ７９２の効果が減少する。硬化イニシエータの量、例えば、ＵＶ放射エネルギー７９１の強度及び／又は硬化インヒビタの量、例えば、硬化インヒビタガス７９２の流量は、コントローラによって調整されて、領域７３４内の層７２０のより硬化する領域７３１及びより硬化しない領域７３２の相対厚さを制御することができる。層７２０の領域７３４において、硬化イニシエータ７９１は、領域７３４が層７２０の深さを通って未硬化のままであるようにブロックされる。
【００３９】
図７Ｂは、基材７１０が、硬化イニシエータ７９１に対して実質的に透明である構成を示す。予備硬化イニシエータ源７４１は、基材７１０に近接して位置し、マスク７４３は、基材７１０と硬化イニシエータ源７４１との間に配置される。層７２０の領域７３４では、マスク７４３は、硬化イニシエータ７９１が層７２０に到達するのをブロック又は減衰させる。領域７３３において、マスク７４３は、硬化イニシエータ７９１を基材７１０まで通過させる。基材７１０は、硬化イニシエータ７９１を境界面７２１へ、かつ層７２０内に透過させる。
【００４０】
領域７３３において、自由表面７２２における硬化インヒビタ７９２の存在は、自由表面７２２付近の領域７３２における硬化を阻害する。層７２０のより深い領域７３１では、硬化イニシエータ７９１が領域７３４の硬化領域７３１への硬化インヒビタ７９２の効果を克服するように、硬化インヒビタ７９２の効果が減少する。硬化イニシエータの量、例えば、ＵＶ放射エネルギー７９１の強度及び／又は硬化インヒビタの量、例えば、硬化インヒビタガス７９２の流量は、コントローラによって調整されて、領域７３３内の層７２０のより硬化する領域７３１及びより硬化しない領域７３２の相対厚さを制御することができる。層７２０の領域７３４において、硬化イニシエータ７９１は、層７２０に到達することをブロックされ、その結果、領域７３４は層７２０の深さを通って未硬化のままである。
【００４１】
図７Ｃは、基材７１０自体がマスクを形成する構成を示す。図７Ｃに示されるように、基材７１０は、硬化イニシエータ７９１に対して実質的に透明である第１の長手方向位置にある第１のセクション７１１と、硬化イニシエータ７９１をブロックする第２の長手方向位置にある第２のセクション７１２と、を含む。予備硬化イニシエータ源７４１は、基材７１０に近接して位置している。層７２０の領域７３４では、基材セクション７１２は、硬化イニシエータ７９１が層７２０に到達するのをブロック又は減衰させる。領域７３３では、基材セクション７１１は、硬化イニシエータ７９１を境界面７２１へ、かつ層７２０内に透過させる。
【００４２】
領域７３３において、自由表面７２２における硬化インヒビタ７９２の存在は、自由表面７２２付近の領域７３２における硬化を阻害する。層７２０のより深い領域７３１では、硬化イニシエータ７９１が領域７３３の硬化領域７３１への硬化インヒビタ７９２の効果を克服するように、硬化インヒビタ７９２の効果が減少する。硬化イニシエータの量、例えば、ＵＶ放射７９１の強度及び／又は硬化インヒビタの量、例えば、硬化インヒビタガス７９２の流量は、コントローラによって調整されて、領域７３３内の層７２０のより硬化する領域７３１及びより硬化しない領域７３２の相対厚さを制御することができる。層７２０の領域７３４において、硬化イニシエータ７９１は、層７２０に到達することをブロックされ、その結果、領域７３４は層７２０の深さを通って未硬化のままである。
【００４３】
図８は、基材８１０上に配置された層８２０の自由表面８２２に硬化インヒビタ８９２を送達するように位置決めされた予備硬化インヒビタ源８４２を示す。予備硬化イニシエータ源８４１は、層８２０の自由表面８２２に近接し、自由表面８２２に向けて方向付けられもする硬化イニシエータ８９１を提供する。マスク８４３は、硬化インヒビタ８９２が領域８３３の自由表面８２２に到達するのをブロック又は減衰させ、硬化インヒビタ８９２を制限なしに領域８３４の自由表面８２２に通過させる。いくつかの実施形態において、マスク８４３は、硬化イニシエータ８９１がマスク８４３を通過することを可能にするように構成される。いくつかの実施形態において、マスク８４３は、硬化イニシエータ８９１を少なくとも部分的にブロックするが、硬化イニシエータ８９１は、領域８３４から広がり出て、領域８３３内の層８３１の硬化を可能にする。例えば、硬化イニシエータ８９１は、いくつかの実装形態において、層８３１の均一な硬化を提供するのに十分に広がり出ることができる。
【００４４】
領域８３３において、自由表面８２２に到達する制限された量の硬化インヒビタ８９２は、領域８３３内でより多くの硬化が生じることを可能にする。制限されていない硬化インヒビタ８９２の存在は、領域８３４における硬化が少ない。領域８３３内のより硬化する領域８３１は、領域８３４内のより硬化する領域８３１の厚さと比較して、深さ軸に沿って厚くなる。自由表面から測定されたより硬化する領域８３１の深さは、領域８３４内の自由表面８２２から測定される、より硬化する領域８３１の深さと比較して、面積８３３において８２２小さい。
【００４５】
図９は、図７Ａ〜図８に関連して説明したように、層９２０が予備硬化された後に、基材９１０上に配置された層９２０の自由表面９２２に粒子９９９を堆積させるプロセスにおける粒子堆積装置９６０を示している。より硬化しない領域９３２は、粒子が層９２０のより少ない材料に埋め込まれることを可能にするように十分に未硬化である。より硬化する領域９３１のパターンは、粒子９９９が、領域９３３内の層９２０の自由表面９２２からの深さ、ｄ１の下に沈むことを防ぎ、領域９３４内の自由表面９２２からの深さ、ｄ２の下に沈むことを防止すし、ここで、ｄ１＜ｄ２である。図９に示されるように、いくつかの実施形態では、深さｄ２は、層９２０と基材９０１との間の境界面９２１に実質的に延在し得る。
【００４６】
図１０Ａ〜図１１は、層１０２０、１１２０のより硬化する及びより硬化しない領域１０３１、１１３１、１０３２、１１３２のより複雑な横方向及び／又は長手方向のパターン化を可能にするシステム実装形態を示している。図１０Ａは、より硬化する領域１０３１のパターン化は、例えば、矢印１０９８によって示される方向に沿って、層１０２０に対して横方向及び／又は長手方向に移動することができるシャッタ１０４３を使用して成し遂げられる。予備硬化インヒビタ源１０４２は、基材１０１０上に配置された層１０２０の自由表面１０２２に予備硬化インヒビタ１０９２送達するように配設される。予備硬化イニシエータ源１０４１は、層１０２０の自由表面側に位置し、予備硬化イニシエータ１０９１を自由表面１０２２に向けて方向付ける。
【００４７】
可動シャッタ１０４３は、予備硬化イニシエータをブロック又は減衰させ、方向１０９８に沿って移動する。シャッタ１０４３を移動させて、図示される勾配パターンを含む、より硬化する及びより硬化しない領域１０３１、１０３２内に様々なパターンを提供することができる。図示される直線勾配パターンは、シャッタ１０４３が方向１０９８に沿って一定速度で移動されるときに達成され得る。一定速度では、シャッタ１０４３の滞留時間は、シャッタの滞留時間が短い他の領域に対して、これらの領域においてより長い時間期間にわたって、予硬化イニシエータ１０９１が自由表面１０２２に到達するのを防止する自由表面１０２２のある領域に対してより長い。自由表面１０２２からのより硬化する領域１０３１の距離ｄは、シャッタ１０４３が予備硬化イニシエータ１０９１をブロックする時間の関数である。
【００４８】
図１０Ｂでは、より硬化する領域１０３１のパターン化は、パターン化マスク１０４４を使用して達成される。マスク１０４４は、他の領域と比較していくつかの領域でより多くの予備硬化イニシエータをブロック又は減衰させ、より硬化する領域１０３１の可変深さをもたらす。マスク１０４４は、図示される勾配パターンを含む、より硬化する及びより硬化しない領域１０３１、１０３２内に様々なパターンを設計することができる。予備硬化イニシエータ１０９１が光放射である実施形態では、マスクは、１つ又は２つの寸法において予備硬化イニシエータ１０９１の強度を空間的にパターン化することができる装置１０４４とすることができる。この実装形態に好適な装置としては、例えば、液晶装置、デジタルマイクロミラー装置（ＤＭＤ）、グレーティングライトバルブ（ＧＬＶ）、音響光学変調器（ＡＯＭ）、及び／又はラスタ出力スキャナ（ＲＯＳ）が挙げられる。
【００４９】
図１１は、図１０Ａ及び図１０Ｂに関連して説明したように、層１１２０が予備硬化され、パターン化された後に、層１１２０の自由表面１１２２に粒子１１９９を堆積させるプロセスにおける粒子堆積装置１１６０を示している。より硬化しない領域１１３２は、粒子が層１１２０のより硬化性の低い材料に埋め込まれることを可能にするように十分に未硬化である。より硬化する及びより硬化しない領域１１３１、１１３２のパターンは、粒子１１９９が、層１１２０の自由表面１１２２から深さｄより下に沈むのを防ぎ、ここでｄは、この実施形態では、ｘと線形に変化する。より硬化しない領域１１３２中の粒子１１９９の濃度は、粒子の堆積速度を制御することによって制御することができる。例えば、いくつかの実施形態では、粒子１１９９の濃度は、ｄが位置と共に直線的に変化しても、実質的に一定であり得る。
【００５０】
いくつかの実施形態では、例えば、粒子を表面に配列することによって、及び／又は粒子を硬化性材料内に押し下げることによって、及び／又は他の変更によって、層の表面を変更することが望ましい場合がある。図１に示されるように、システム１００は、粒子が堆積された後、かつ層が完全に硬化される前に層を処理するための粒子送達後処理装置１６５を含み得る。いくつかの実施形態では、図１２に示され、粒子送達後処理は、粒子１２９９がより硬化しない領域１２３２内に更に沈殿するように、より硬化しない領域１２３２の粘度を減少させることを含み得る。沈殿中、細長い粒子１２９９は、それらの長軸が層１２２０の平面内に概ね置かれるように、再配向又は整列し得る。粒子の再配向は、それらを層中に沈ませて表面粗さを低減させる。いくつかの実施形態では、粘度を低下させることは、図１２に示されるように、層１２２０の自由表面１２２２に向かって熱を方向付ける加熱器１２６５を使用して実施され得る。図１２に示されるように、加熱器１２６５を用いた表面処理は、自由表面１２２２の一部の領域１２２２ａが熱処理され、他の領域１２２２ｂが処理されないようにパターン化することができる。
【００５１】
粒子送達後処理は、熱及び圧力の両方を自由表面に適用することを含むことができる。図１３は、粒子１３９９が堆積された後に、自由表面１３２２に熱及び圧力の両方を適用する加熱ローラ１３６５を示す。ローラ１３６５からの熱及び圧力は、粒子１３９９をより硬化しない領域１３３２内に押し下げることができ、細長い粒子１３９９の配列をもたらし得る。層内の粒子を押し下げること及び整列させることにより、表面粗さを低減することができる。いくつかの実装形態では、加熱ローラ１３６５は、実質的に自由表面１３２２全体にわたって適用され得る。代替的に、加熱ローラ１３６５は、自由表面１３２２の一部の領域のみが熱及び加圧処理されるように、自由表面１３２２の選択された領域のみに適用され得る。
【００５２】
硬化後処理は、粒子送達に続く硬化ステップ後に、自由表面に適用され得る。硬化後処理は、例えば、硬化した自由表面の表面処理及び／又は追加の層の堆積を含み得る。図１４は、粒子１４９９が堆積され、層１４２０が硬化された後に、層１４２０の自由表面１４２２上に追加層１４８６を堆積させる堆積装置１４８５による硬化後処理を示す。
【００５３】
本明細書で論じられるアプローチは、インクジェット／粉末ジェット印刷プロセスは、ＵＶインクのインクジェットパターン、続いて粉末塗布、及び最終的に硬化プロセスによる、横方向解像度及び粒子充填の別個の制御を可能にするインクジェット／粉末ジェット印刷プロセスを伴う。開示されるアプローチは、層内の微粒子の深さ、厚さ、及び濃度を制御する能力を提供する。様々な実施形態によれば、制御されたＯ２濃度及びＵＶ光強度の存在下でのＵＶ硬化性インクの予備硬化は、ＵＶ硬化性インク内の微粒子の正確な制御を可能にする。この制御は、印刷パターンの化学的、光学的、及び機械的特性が、制御されることを可能にする。本明細書で論じられるシステム及び方法は、フィルムの高品質の機械的特性を保証するのに役立つ。開示されるアプローチは、大きな粒子密度を含む他の方法、及び高解像度の広範な粒子との相溶性を含む他の方法に勝る粉末インクジェットの有用性を維持する。
【００５４】
別途記載のない限り、本明細書及び特許請求の範囲で使用される特徴サイズ、量、及び物理的特性を表す全ての数は、全ての場合において、用語「約」によって修飾されるものとして理解されるべきである。したがって、反対に指示されない限り、前述の明細書及び添付の特許請求の範囲に記載される数値パラメータは、本明細書に開示される教示を利用して当業者が得ようとする所望の特性に応じて変化し得る近似値である。端点による数値範囲の使用は、その範囲内の全ての数（例えば、１〜５は、１、１．５、２、２．７５、３、３．８０、４、及び５を含む）、及びその範囲内の任意の範囲を含む。
【００５５】
上述のコントローラの様々な実施形態は、相互作用して特定の結果を提供する回路及び／又はソフトウェアモジュールを使用して実装され得る。当業者は、当該技術分野において一般的に知られている知識を使用して、モジュール式レベル又は全体でのいずれかで、そのような記載された機能を容易に実施することができる。例えば、本明細書に示されるフローチャートは、プロセッサによる実行のためのコンピュータ可読命令／コードを作成するために使用され得る。このような命令は、コンピュータ可読媒体上に記憶され、当該技術分野において既知のように実行するためにプロセッサに転送され得る。上記の構造及び手順は、上述したようなインクジェットエジェクタの診断を容易にするために使用することができる実施形態の代表的な例に過ぎない。
【図１】
2020089874.tif 000003
【図２】
2020089874.tif 000004
【図３Ａ】
2020089874.tif 000005
【図３Ｂ】
2020089874.tif 000006
【図３Ｃ】
2020089874.tif 000007
【図３Ｄ】
2020089874.tif 000008
【図３Ｅ】
2020089874.tif 000009
【図３Ｆ】
2020089874.tif 000010
【図３Ｇ】
2020089874.tif 000011
【図３Ｈ】
2020089874.tif 000012
【図４】
2020089874.tif 000013
【図５】
2020089874.tif 000014
【図６Ａ】
2020089874.tif 000015
【図６Ｂ】
2020089874.tif 000016
【図７Ａ】
2020089874.tif 000017
【図７Ｂ】
2020089874.tif 000018
【図７Ｃ】
2020089874.tif 000019
【図８】
2020089874.tif 000020
【図９】
2020089874.tif 000021
【図１０Ａ】
2020089874.tif 000022
【図１０Ｂ】
2020089874.tif 000023
【図１１】
2020089874.tif 000024
【図１２】
2020089874.tif 000025
【図１３】
2020089874.tif 000026
【図１４】
2020089874.tif 000027